(57)【要約】医療用デバイスは、バイアル（２０）と、ニードルレス注射器（１０）と、患者に注入するための注入溶液でニードルレス注射器を満たすためのキャリア液（２６）と、ともに使用するためのインライン乾燥薬剤モジュール（３３）を有するバイアルアダプタ（３２）を備えている。インライン乾燥薬剤モジュール（３３）は、乾燥薬剤用量を格納するための乾燥薬剤格納部（５７）と、乾燥薬剤用量から注入溶液を形成するためにキャリア液によって乾燥薬剤格納部の均一な接触を促進するためのキャリア液均一分配部（５８）と、を備えている。インライン乾燥薬剤モジュールは、別体の乾燥薬剤格納部と、別体のキャリア液均一分配部と、を備えていてもよいし、薬剤格納とキャリア液の均一な分配との両方のための複数目的部品を備えていてもよい。バイアルアダプタは、通気式で提供されてもよく、非通気式で提供されてもよい。【選択図】図４
2016521177.tif 000002
【特許請求の範囲】
【請求項１】
ニードルレス注射器と、バイアルと、患者に注入するための注入溶液で前記ニードルレス注射器を満たすためのキャリア液と、ともに使用するための医療用デバイスであって、
前記ニードルレス注射器は、雄コネクタを有し、
前記バイアルは、バイアルストッパと、バイアル内部と、を有し、
前記医療用デバイスは、長手方向デバイス中央線を有し、
前記医療用デバイスは、
（ａ）前記バイアルに入れ子式に取り付けるための下方に垂下する撓み部材と、前記バイアル内部と流れ連通させるために前記入れ子式取り付けの際に前記バイアルストッパを穿刺するための穿刺カニューレと、前記雄コネクタと接続することが意図され前記穿刺カニューレと流れ連通する中央直立雌コネクタと、を有するバイアルアダプタと、
（ｂ）前記雌コネクタと前記穿刺カニューレとの間に直列に配置されるインライン乾燥薬剤モジュールと
を備え、
前記インライン乾燥薬剤モジュールは、
乾燥薬剤用量を格納するための乾燥薬剤格納部と、
前記バイアルから前記ニードルレス注射器へキャリア液を吸引して前記注入溶液を形成する際に該キャリア液による前記乾燥薬剤格納部の均一な接触を促進するための、キャリア液均一分配部と
を備える
医療用デバイス。
【請求項２】
請求項１に記載のデバイスであって、
前記インライン乾燥薬剤モジュールは、前記薬剤用量を格納するための別体の乾燥薬剤格納部と、前記均一な接触を促進するための別体のキャリア液均一分配部と、を備える
デバイス。
【請求項３】
請求項１に記載のデバイスであって、
前記インライン乾燥薬剤モジュールは、前記乾燥薬剤用量の格納と、前記均一な接触と、の両方のための複数目的部品を備える
デバイス。
【請求項４】
請求項１ないし請求項３のいずれか一項に記載のデバイスであって、
前記キャリア液均一部は、前記雌コネクタの方を向いたキャリア液均一部上側と、前記穿刺カニューレの方を向いたキャリア液均一分配部下側と、キャリア液均一分配部周囲エッジと、を備え、
前記キャリア液均一分配部下側は、多数の径方向溝を備え、
前記径方向溝の各々は、前記キャリア液均一分配部周囲エッジの切欠のところで終端し、それによって、前記ニードルレス注射器を吸引して、液体内容物を前記バイアルから前記ニードルレス注射器まで引く際にキャリア液が前記キャリア液均一分配部下側から前記キャリア液均一分配部上側まで流れることができる
デバイス。
【発明の詳細な説明】
【技術分野】
【０００１】
本発明は、患者への非経口投与のための液体源とともに使用するための乾燥薬剤用量を収容するインライン乾燥薬剤モジュールを有する医療用デバイスに関する。
【背景技術】
【０００２】
治療は、多くの場合、人体への液剤の非経口投与を伴う。液剤は、溶液、懸濁液などの形態とすることができる。いくつかの試薬は、乾燥状態において保存期間を長くしてきたが、復元または補水後の保存期間はごく短い。
【０００３】
Taylorに付与された米国特許第６，５２０，９３２号は、インラインを点滴（ＩＶ）ラインに接続して希釈剤を試薬と混合して患者に移送することを可能にするインライン移送パック（３５）を開示している。薬剤移送パックは、溶解によって患者に投与するのに適した流体溶解性材料と点滴静注とからなる試薬ベッド（１１０）を有するハウジング（３７）を備えている。このハウジングは、入口フリット（８０）からの背圧と協働して薬剤移送パックの断面全体にわたる希釈剤の均一な分布を促進する径方向入口フィン（６５）を備えている。内部薬剤ベッドバイパス機構が希釈剤の流れをバイパスと薬剤ベッドとの間に分配するために調整され、乾燥試薬が溶解された点滴投与に適した溶液濃度が達成される。
【０００４】
Reifらに付与された米国特許第６，９５１，６１３号は、遺伝子予防接種デバイスと、そのための注入溶液を形成するためのプロセスと、を開示している。このデバイスは、注射器（２）と、そこに吸収される遺伝子材料を有するインライン膜吸収体（５）に接続されるカニューレ（３）と、を備えている。このプロセスは、遺伝子材料を含有する注入溶液を形成するように、遺伝子材料を膜吸収体から溶出させる工程を備えている。
【０００５】
de Costaらの米国特許出願公開第２００８／０２９４１００号は、患者に基質を投与するための調剤デバイスを開示している。de Costaの調剤デバイスは、水溶性のガラス質材料を支持するとともに生体材料（例えば、生体材料が投与を必要とする場合に、そこに安定化されたワクチンなど）を有するインライン多孔質膜を備え、溶離剤がガラスを溶解する膜を通過でき、それによって、物質が液体によって患者に運ばれる点において、上述のReifの遺伝子予防接種デバイスと類似している。
【０００６】
Reifの遺伝子予防接種デバイスおよびde Costaの調剤デバイスは、患者に注入溶液を注入する間に取り扱うには、比較的重く扱いにくい。さらに、患者に注入されるべき乾燥薬剤用量を収容するそれらのデバイスのハウジングによって、必ず、患者の体に対して通常のものよりも大きな注入角度で注入することが強いられる。
【先行技術文献】
【特許文献】
【０００７】
【特許文献１】米国特許第６，５２０，９３２号
【特許文献２】米国特許第６，９５１，６１３号
【特許文献３】米国特許出願公開第２００８／０２９４１００号
【発明の概要】
【発明が解決しようとする課題】
【０００８】
注入溶液を患者に注入することを容易にするためのインライン乾燥薬剤モジュールを有する医療用デバイスが求められる。
【課題を解決するための手段】
【０００９】
本発明は、インライン乾燥薬剤モジュールを有するバイアルアダプタを備える医療用デバイスを対象としている。インライン乾燥薬剤モジュールは、ニードルレス注射器と、患者に注入するための乾燥薬剤用量から形成される注入溶液でニードルレス注射器を満たすためのバイアルと、ともに使用するための乾燥薬剤用量を有する。医療用デバイスは、好ましくは、最初は空であるニードルレス注射器と、最初は液体キャリアで満たされているバイアルと、ともに使用される。あるいは、医療用デバイスは、最初は液体キャリアで予備充填されている注射器と、最初は空であるバイアルと、ともに使用されてもよい。液体キャリアは、希釈剤のみであってもよいし、あるいは、活性成分を含有していてもよい。
【００１０】
バイアルアダプタは、インライン乾燥薬剤モジュールを除いて、市販されている通気式または非通気式のバイアルアダプタと同様の構成を有している。インライン乾燥薬剤モジュールは、乾燥薬剤用量を格納するための乾燥薬剤格納部と、注入溶液を形成するためにキャリア液によって乾燥薬剤格納部の均一な接触を促進するためのキャリア液均一分配部と、を備えている。乾燥薬剤格納部およびキャリア液均一分配部は、２つの別体の部品であってもよい。あるいは、この２つの部品は、単一の複数目的部品に結合されていてもよい。
【００１１】
インライン乾燥薬剤モジュールは、後でキャリア液によって接触した際に注入溶液に形成するために乾燥薬剤用量を長期間保存することができるようにするために、いくつかの市販の技術のうちの任意の１つを採用することができる。適切な市販の技術は、とりわけ、本発明の背景技術において知らされた先行技術文献に説明されている。さまざまな技術には、とりわけ、乾燥薬剤用量を溶解または取り込むために多孔質基質を通ってキャリア液を流すこと、乾燥薬剤用量を溶解または取り込むために基質表面上にキャリア液を流すこと、などが含まれる。
【００１２】
最初は空であるニードルレス注射器と、最初は満たされているバイアルと、を有する本発明の医療用デバイスの使用には、１回の吸引を伴う。あるいは、最初は満たされている注射器と、最初は空であるバイアルと、を有する本発明の医療用デバイスの使用には、最初にキャリア液を注射器からバイアルに注入し、その後、バイアルから注射器に吸引することが必要となる。前者の使用方法は、時間がかからないのに対して、後者の使用方法は、乾燥薬剤用量を完全に使用することに関して確実性を大きくすることができる。
【００１３】
本発明の医療用デバイスは、注入溶液を患者に注入するためのニードルレス注射器の準備のために、便利で安価な解決法を提供できる。本発明の医療用デバイスは、環境温度で比較的長い保存期間を有し、それによって冷蔵の必要をなくすいわゆる熱的に安定した薬剤や試薬とともに使用するのに特に適している。適切な薬剤や試薬には、とりわけ、ワクチンなどが含まれる。
【００１４】
本発明を理解し、それがどのように実施できるのかを理解するために、次に、好ましい実施形態について、同様の部分に同様の番号を付した添付図面を参照して、単なる非限定的な例として説明する。
【図面の簡単な説明】
【００１５】
【図１】最初は空であるニードルレス注射器と、バイアルと、本発明による、最初は空であるニードルレス注射器を注入溶液で満たすための通気式医療用デバイスの第１実施形態と、の図である。
【図２】図１の医療用デバイスの底部斜視図である。
【図３】図１の医療用デバイスの側面図である。
【図４】図１の医療用デバイスの図３の線Ａ−Ａに沿った縦断面図である。
【図５】図１の医療用デバイスの分解図である。
【図６】図１の医療用デバイスのキャリア液均一分配部の底部斜視図である。
【図７Ａ】バイアルからニードルレス注射器までキャリア液を吸引する前の、最初は空であるニードルレス注射器と、図１の医療用デバイスと、の逆さまにした組立体を示している。
【図７Ｂ】バイアルからニードルレス注射器までキャリア液を部分的に吸引した後の、逆さまにした組立体を示している。
【図７Ｃ】患者に投与するために注入溶液で満たされたニードルレス注射器を有する逆さまにした組立体を示している。
【図８】図７Ｂの組立体の丸で囲まれた部分の拡大縦断面図であり、吸引中におけるキャリア液のバイアルから注射器までの流れを示している。
【図９】本発明による通気式医療用デバイスの第２実施形態の分解図である。
【図１０】図９の医療用デバイスのキャリア液均一分配部の底部斜視図である。
【発明を実施するための形態】
【００１６】
図１は、空のニードルレス注射器１０と、バイアル２０と、患者に注入するための注入溶液でニードルレス注射器１０を満たすために使用するための通気式医療用デバイス３０と、を示している。注射器１０は、プランジャロッド１２と注射器先端１３とを有するバレル１１を備えている。バイアル２０は、バイアルストッパ２２によってシールされるバイアルボトル２１を備えている。バイアルボトル２１は、典型的には、バイアルストッパ２２をバイアルボトル２１に固定するためのアルミシール２３を備えている。バイアルボトル２１は、キャリア液２６を収容するバイアル内部２４を有している。キャリア液２６は、希釈剤のみであってもよい。あるいは、キャリア液２６は、活性成分を含有していてもよい。
【００１７】
図１〜６は、医療用デバイス３０が、長手方向デバイス中央線３１を有しており、インライン乾燥薬剤モジュール３３を有するバイアルアダプタ３２を備えていることを示している。バイアルアダプタ３２は、交差方向頂部スカート壁３６と、バイアル２０に入れ子式に取り付けるための下方に垂下する撓み部材３７と、を有するスカート３４を備えている。頂部スカート壁３６は、長手方向デバイス軸線３１と同軸の中央スカートハブ３８を有して形成されている。中央スカートハブ３８は、そこから外側に向けて延在する６つの等間隔に隔てられた径方向リブ３９を有している。中央スカートハブ３８は、長手方向デバイス軸線３１と同軸の液体移送ポート４１と、長手方向デバイス軸線３１に対してオフセットされた通気ポート４２と、を有して形成されている。
【００１８】
バイアルアダプタ３２は、頂部カバー４３を備えている。頂部カバー４３は、注射器先端１３とシール接続するための、長手方向デバイス中央線３１と同軸の中央直立雌コネクタ４４を有している。注射器先端１３は、好ましくは、雄ルアーロックコネクタであり、中央直立雌コネクタ４４は、ニードルレス注射器１０を医療用デバイス３０にネジ取り付けするための雌ルアーコネクタである。あるいは、注射器先端１３および雌コネクタ４４は、他のコネクタを有して形成されてもよい。
【００１９】
バイアルアダプタ３２は、医療用デバイス３０をバイアル２０に入れ子式に取り付ける際にバイアル内部２４と流れ連通するためにバイアルストッパ２２を穿刺するための、長手方向デバイス３１と同軸の下方に垂下する穿刺カニューレ４６を備えている。カニューレ４６は、液体移送ポート４１と流れ連通する液体移送内腔４７と、通気ポート４２と流れ連通する通気内腔４８と、を備えている。
【００２０】
バイアルアダプタ３２は、頂部カバー４３と頂部スカート壁３６との間に配置するためのフィルタカバー４９を備えている。フィルタカバー４９は、径方向リブ３９に配置されたエアフィルタ５１を取り囲んでいる。エアフィルタ５１は、長手方向デバイス軸線３１と同軸のエアフィルタ中央孔５２を有している。フィルタカバー４９は、長手方向デバイス軸線３１と同軸のフィルタカバー中央孔５３と、多数の通気口５６を有して形成されたフィルタカバー周囲エッジ５４と、を備えている。
【００２１】
インライン乾燥薬剤モジュール３３は、中央直立雌コネクタ４４と穿刺カニューレ４６（特に、液体移送ポート４１）との間に直列に（インラインに）配置されている。インライン乾燥薬剤モジュール３３は、直立雌コネクタ４４に近接するとともに穿刺カニューレ４６から離れた位置にある乾燥薬剤格納部５７を備えている。インライン乾燥薬剤モジュール３３は、さらに、穿刺カニューレ４６に近接するとともに直立雌コネクタ４４から離れた位置にあるキャリア液均一分配部５８を備えている。
【００２２】
乾燥薬剤格納部５７は、好ましくは、キャリア液２６がそこを通って流れることができる広範囲の適切な生体適合性不活性多孔質材料から形成されるディスク状基質として形成される。適切な材料には、とりわけ、グラスファイバー、プラスチックファイバーなどが含まれる。乾燥薬剤格納部５７には、患者に投与するための乾燥薬剤用量５９が供給される。乾燥薬剤用量５９は、乾燥薬剤格納部５７を通ってキャリア液２６を取り込む際に注入溶液の復元を可能にするために、微細な粒子などの形態であってもよい
【００２３】
キャリア液均一分配部５８は、好ましくは、直立雌コネクタ４４の側を向いたキャリア液均一分配部上側５８Ａと、穿刺カニューレ４６の側を向いたキャリア液均一分配部下側５８Ｂと、キャリア液均一分配部周囲エッジ６１と、を有するディスク状部材として形成される。キャリア液均一分配部下側５８Ｂは、一連の径方向溝６２を有して形成される。径方向溝６２の各々は、キャリア液均一分配部下側５８Ｂからキャリア液均一分配部上側５８Ａまでの流れ連通を可能にするために、キャリア液均一分配部周囲エッジ６１の切欠６３のところで終端している。
【００２４】
対象への注入のための注入溶液を有するニードルレス注射器１０の準備に使用するための医療用デバイス３０の使用方法について、図７Ａ〜７Ｃおよび図８を参照して説明する。図８は、図７ＢにＡで示される丸で囲まれた領域の拡大図である。
【００２５】
図７Ａは、バイアルストッパ２２を穿刺するために、ユーザが医療用デバイス３０をバイアル２０に入れ子式に取り付ける様子を示している。ユーザは、ニードルレス注射器１０を雌コネクタ４４に接続する。ユーザは、バイアル２０がニードルレス注射器１０の上方に位置するように、組立体を逆さまにして、バイアル２０からニードルレス注射器１０内にキャリア液２６を吸引し始める。
【００２６】
図７Ｂおよび図８は、バイアル２０から最初は空であるニードルレス注射器１０へのキャリア液２６の流れを示しており、その流れは、次のとおりである。キャリア液２６は、液体移送内腔４７に沿ってキャリア液均一分配部下側５８Ｂまで下方に向けて流れる。キャリア液２６は、キャリア液均一分配部下側５８Ｂの中央から径方向溝６２に沿ってキャリア液均一分配部周囲エッジ６１まで径方向外側に向けて流れる。
【００２７】
キャリア液２６は、切欠６３を通って下方に向けて流れ、次いで、そこで乾燥薬剤用量５９を取り込んで注入溶液６４を形成するために、多孔質の乾燥薬剤格納部５７を通って径方向内側に向けて流れる。バイアル２０から注射器１０へのキャリア液２６の吸引の間、空気は、キャリア液２６内の気泡によって示されるように、通気口５６、エアフィルタ５１および通気内腔４８を通ってバイアル２０内へ引かれる。
【００２８】
図７Ｃは、雌コネクタ４４から取り外してニードルを取り付けた後に対象に注入する準備ができた、注入溶液６４で満たされた注射器１０を示している。
【００２９】
図９は、通気式医療用デバイス７０を示している。通気式医療用デバイス７０は、構造および動作が通気式医療用デバイス３０と類似しており、したがって、同様の部分には同様の符号が付されている。通気式医療用デバイス７０は、そのインライン乾燥薬剤モジュール３３が乾燥薬剤用量格納部およびキャリア液均一分配部の両方として作用する単一の複数目的部品７１を備えている点において通気式医療用デバイス３０と異なっている。複数目的部品７１は、それが、雌コネクタ４４の方を向いたキャリア液均一分配部上側７１Ａと、穿刺カニューレ４６の方を向いたキャリア液均一分配部下側７１Ｂと、キャリア液均一分配部周囲エッジ７２と、を備えている点において、キャリア液均一分配部５８と同様の構成を有している。キャリア液均一分配部上側７１Ａは、乾燥薬剤用量格納部を構成する乾燥薬剤用量コーティング７３を有している。キャリア液均一分配部下側７１Ｂは、一連の径方向溝６２を有して形成されている。径方向溝６２の各々は、キャリア液均一分配部下側７１Ｂからキャリア液均一分配部上側７１Ａまでの流れ連通を可能にするために、キャリア液均一分配部周囲エッジ７２の切欠６３のところで終端している。
【００３０】
本発明が限られた数の実施形態に関して説明されたが、本発明の多くの変形形態、修正形態および他の用途が添付の特許請求の範囲内においてなされ得ることが理解されよう。
【符号の説明】
【００３１】
１０…ニードルレス注射器
１１…バレル
１２…プランジャロッド
１３…注射器先端
２０…バイアル
２１…バイアルボトル
２２…バイアルストッパ
２３…アルミシール
２４…バイアル内部
２６…キャリア液
３０…医療用デバイス
３１…長手方向デバイス軸線
３２…バイアルアダプタ
３３…インライン乾燥薬剤モジュール
３４…スカート
３６…頂部スカート壁
３７…撓み部材
３８…中央スカートハブ
３９…径方向リブ
４１…液体移送ポート
４２…通気ポート
４３…頂部カバー
４４…雌コネクタ
４６…穿刺カニューレ
４７…液体移送内腔
４８…通気内腔
４９…フィルタカバー
５１…エアフィルタ
５２…エアフィルタ中央孔
５３…フィルタカバー中央孔
５４…フィルタカバー周囲エッジ
５６…通気口
５７…乾燥薬剤格納部
５８…キャリア液均一分配部
５８Ａ…キャリア液均一分配部上側
５８Ｂ…キャリア液均一分配部下側
５９…乾燥薬剤用量
６１…キャリア液均一分配部周囲エッジ
６２…径方向溝
６３…切欠
６４…注入溶液
７０…通気式医療用デバイス
７１…複数目的部品
７１Ａ…キャリア液均一分配部上側
７１Ｂ…キャリア液均一分配部下側
７２…キャリア液均一分配部周囲エッジ
７３…乾燥薬剤用量コーティング
【図１】
2016521177.tif 000003
【図２】
2016521177.tif 000004
【図３】
2016521177.tif 000005
【図４】
2016521177.tif 000006
【図５】
2016521177.tif 000007
【図６】
2016521177.tif 000008
【図７Ａ】
2016521177.tif 000009
【図７Ｂ】
2016521177.tif 000010
【図７Ｃ】
2016521177.tif 000011
【図８】
2016521177.tif 000012
【図９】
2016521177.tif 000013
【図１０】
2016521177.tif 000014
【手続補正書】
【提出日】平成28年1月12日(2016.1.12)
【手続補正１】
【補正対象書類名】特許請求の範囲
【補正対象項目名】全文
【補正方法】変更
【補正の内容】
【特許請求の範囲】
【請求項１】
ニードルレス注射器と、バイアルと、患者に注入するための注入溶液で前記ニードルレス注射器を満たすためのキャリア液と、ともに使用するための医療用デバイスであって、
前記ニードルレス注射器は、雄コネクタを有し、
前記バイアルは、バイアルストッパと、バイアル内部と、を有し、
前記医療用デバイスは、長手方向デバイス中央線を有し、
前記医療用デバイスは、
（ａ）前記バイアルに入れ子式に取り付けるための下方に垂下する撓み部材と、前記バイアル内部と流れ連通させるために前記入れ子式取り付けの際に前記バイアルストッパを穿刺するための穿刺カニューレと、前記雄コネクタと接続することが意図され前記穿刺カニューレと流れ連通する中央直立雌コネクタと、を有するバイアルアダプタと、
（ｂ）前記雌コネクタと前記穿刺カニューレとの間に直列に配置されるインライン乾燥薬剤モジュールと
を備え、
前記インライン乾燥薬剤モジュールは、
乾燥薬剤用量を格納する乾燥薬剤格納部と、
前記バイアルから前記インライン乾燥薬剤モジュールを通って直接的に前記ニードルレス注射器へキャリア液を吸引して前記注入溶液を形成する際に該キャリア液による前記乾燥薬剤格納部の均一な接触を促進するための、キャリア液均一分配部と
を備える
医療用デバイス。
【請求項２】
請求項１に記載のデバイスであって、
前記インライン乾燥薬剤モジュールは、前記薬剤用量を格納するための別体の乾燥薬剤格納部と、前記均一な接触を促進するための別体のキャリア液均一分配部と、を備える
デバイス。
【請求項３】
請求項１に記載のデバイスであって、
前記インライン乾燥薬剤モジュールは、前記乾燥薬剤用量の格納と、前記均一な接触と、の両方のための複数目的部品を備える
デバイス。
【請求項４】
請求項１ないし請求項３のいずれか一項に記載のデバイスであって、
前記キャリア液均一分配部は、前記雌コネクタの方を向いたキャリア液均一分配部上側と、前記穿刺カニューレの方を向いたキャリア液均一分配部下側と、キャリア液均一分配部周囲エッジと、を備え、
前記キャリア液均一分配部上側は、前記乾燥薬剤格納部を構成する乾燥薬剤用量コーティングを有している
デバイス。
【請求項５】
請求項４に記載のデバイスであって、
前記キャリア液均一分配部下側は、一連の径方向溝を有して形成され、
前記径方向溝の各々は、前記ニードルレス注射器を吸引して、液体内容物を前記バイアルから前記乾燥薬剤モジュールを通って直接的に前記ニードルレス注射器まで引く際に前記キャリア液均一分配部下側から前記キャリア液均一分配部上側への流れ連通を可能にするために、前記キャリア液均一分配部周囲エッジの前記切欠のところで終端する
デバイス。
【請求項６】
請求項１ないし請求項３のいずれか一項に記載のデバイスであって、
前記キャリア液均一分配部は、前記雌コネクタの方を向いたキャリア液均一分配部上側と、前記穿刺カニューレの方を向いたキャリア液均一分配部下側と、キャリア液均一分配部周囲エッジと、を備え、
前記キャリア液均一分配部下側は、多数の径方向溝を備え、
前記径方向溝の各々は、前記キャリア液均一分配部周囲エッジの切欠のところで終端し、それによって、前記ニードルレス注射器を吸引して、液体内容物を前記バイアルから前記インライン乾燥薬剤モジュールを通って直接的に前記ニードルレス注射器まで引く際にキャリア液が前記キャリア液均一分配部下側から前記キャリア液均一分配部上側まで流れることができる
デバイス。
【国際調査報告】
2016521177.tif 000015
2016521177.tif 000016